(57)【要約】【課題】織布や不織布等で作られたマスク本体の両側端に耳掛けを取付けたものに就いて、マスク本体の周縁部の、顔面への密着性の向上と併せて、装着時の息苦しさ、圧迫感、感触の悪さ等の使い勝手も改善した、立体形状を備える衛生マスクを提供する。【解決手段】口及び鼻孔に当てがうマスク本体は、その上下両辺部の各真ん中個所を、Ｖカット状縫い縮めることにより、鼻及び口と向きあう部分を前向きに膨出させて、着用時に、“ゆとり空間”が出来る様にしたことを特徴とする。  １組の耳掛けは、帯紐状に形成して、夫々の両端をマスク本体の四隅の角部に縫い付けるとよい。  又、マスク本体の内側面を、メリヤス生地や起毛生地にするとよい。  更に、マスク本体の上辺部の縁取材に、可塑性に優れた可塑性帯板状片を包埋させるとよい。【選択図】図２
2006026111.tif 000002
【特許請求の範囲】
【請求項１】
織布や不織布等を複数枚重ね合わせて作られ、口及び鼻孔に当てがうマスク本体の両側辺に、耳掛けを取付けたものに於いて、
マスク本体の上下両辺部の各真ん中個所を、Ｖカット状に縫い縮めることにより、鼻及び口と向きあう部分を前向きに膨出させたことを特徴とする立体形状を備えた衛生マスク。
【請求項２】
マスク本体は、その両側辺の縦巾を、中央部の縦巾より短い寸法に設定したことを特徴とする請求項１記載の立体形状を備えた衛生マスク。
【請求項３】
帯紐状に形成した耳掛けの両端を、マスク本体の側辺の上下の隅角個所に縫い付けたことを特徴とする請求項１又は２記載の立体形状を備えた衛生マスク。
【請求項４】
マスク本体の内側面を、メリヤス生地又は起毛生地としたことを特徴とする請求項１乃至３のいずれかに記載の立体形状を備えた衛生マスク。
【請求項５】
マスク本体の上辺部に綴じ付けた縁取材に、顔面の凹凸形状に馴染ませる為の、可塑性を有する可塑性帯板状片を包埋させたことを特徴とする請求項１乃至４のいずれかに記載の立体形状を備えた衛生マスク。
【発明の詳細な説明】
【技術分野】
【０００１】
本発明は、布や不織布等で作られた既存のものに比べて、顔面への密着性や装着感等を格段に向上させた、立体形状を備える衛生マスクに関する。
【背景技術】
【０００２】
図４は、既存の一般的な構造を備えた衛生マスクを、その内側から見た平面図である。
この衛生マスクＢは、ガーゼや不織布等の布地を複数枚重ね合わせて、口及び鼻孔を覆うに足る大きさに作られたマスク本体５１と、その左右の側端に袋縫い状に設けた紐通し部５３の夫々に挿通させた、ゴム輪状の耳掛紐５２とで構成されている。
【０００３】
更に、マスク本体５１の上辺側の真ん中部分を、Ｖカット状に摘んで縫い綴じることにより、摘み個所５４を設けている。
これによって、マスク本体５１は、鼻に触れる部分が前向きに膨出するので、この部分での顔面への密着性を高められる。
【０００４】
【特許文献１】実用新案登録  第３１００６００号
【特許文献２】実用新案登録  第３１０３１８３号
【特許文献３】特開２００３−７４２
【発明の開示】
【発明が解決しようとする課題】
【０００５】
上記の如き形態を備えた、在来の布製の衛生マスクにも、以下に列挙した如き幾つかの点で、尚、改善の余地が残されている。
（１）マスクを装着すると、マスク本体のほぼ全面が顔面に当接されるので、いささか息苦しい。又、感触が良くない。
（２）マスク本体の上辺側の密着性は良いとしても、下辺側の顎に触れる部分の密着性が不十分である。
（３）マスク本体の側端の袋縫状の部分に挿通状態にある耳掛けが、この側端を引っ張ることによって、この部分が“巾着袋”の口の様に絞り込まれる。
（４）その為、マスク本体の側端部分と顔面との密着性が損なわれる。
（５）又、顔かたちの個人差に対して、耳掛けの長さを調節出来ない。
【０００６】
そこで、本発明の目的は、織布や不織布等で作られたマスク本体と、耳掛けとを備えるものに於いて、マスク本体の周縁部と、顔面との密着度（気密度）をより高めさせ、併せて、装着時の息苦しさ、圧迫感、感触の悪さ等の使い勝手上の諸問題も改善した、立体形状を備える衛生マスクを提供するにある。
【課題を解決するための手段】
【０００７】
上記の目的を達成する為の、本発明による立体形状を備えた衛生マスクは、
織布や不織布等を複数枚重ね合わせて作られ、口及び鼻孔に当てがうマスク本体の両側辺に、耳掛けを取付けたものに於いて、
マスク本体の上下両辺部の各真ん中個所を、Ｖカット状に縫い縮めることにより、鼻及び口と向きあう部分を前向きに膨出させたことを特徴とする。
そして、マスク本体は、その両側辺の縦巾を、中央部の縦巾より短い寸法に設定したことも特徴とする。
更に、帯紐状に形成した耳掛けの両端を、マスク本体の側辺の上下の隅角個所に縫い付けたことも特徴とする。
マスク本体の内側面を、メリヤス生地又は起毛生地としたことを特徴とする請求項１乃至３のいずれかに記載の立体形状を備えた衛生マスク。
更には、マスク本体の上辺部に綴じ付けた縁取材に、顔面の凹凸形状に馴染ませる為の、可塑性を有する可塑性帯板状片を包埋させたことも特徴とする。
【発明の効果】
【０００８】
本発明による立体形状を備えた衛生マスクは、以下に列挙した如き実用上の優れた特長を備えている。
（ａ）マスク本体は、鼻及び口と対向する部分を、前向きに膨出した形状とすることによって、この部分と顔面との間に“ゆとり空間”が出来て密着せず、息苦しさや、密着による不快感を解消させられる。
（ｂ）又、マスク本体の下辺側の、顎に触れる部分の密着性も高められる。
（ｃ）上記の“ゆとり空間”が、保温機能や保湿機能も果たしてくれる。
（ｄ）更に、“ゆとり空間”があることによって、マスクを掛けたままでも会話し易くなる。
（ｅ）細帯状の耳掛けの両端を、マスク本体の側辺の上下の隅角個所に縫い付けているので、図４に示した在来のマスクの様に、耳掛紐の張力により、マスク本体の両側端が“巾着袋”状に絞り込まれることがない。
（ｆ）又、マスク本体の側辺の縦巾を狭めて、耳の縦巾寸法に近付けている。
（ｇ）その為、マスク本体の両側辺部と、顔面との密着性も高められる。
（ｈ）帯紐状の耳掛けは、“バックル”等の長さ調節具を組付け易いので、各人の顔かたちの相異に合わせるべく、その長さを調節出来る。
（ｉ）マスク本体の内側面を、メリヤス生地や起毛生地とすることによって、顔面への接触感がよりソフトになる。
（ｊ）又、保温性や吸湿性等の点でも改善される。
（ｋ）顔面の凹凸形状に馴染ませる為の可塑性帯板状片を、マスク本体の上辺部に包埋させことによって、顔面に違和感を及ぼさず、又、見た目がスマートになる。
【発明を実施するための最良の形態】
【０００９】
以下に、本発明の一実施例に就いて、図１〜図３を参照しながら説明する。
図１は、この実施例の衛生マスクＡを、表側から見た斜視図であり、図２は、裏側から見た斜視図である。
図３は、衛生マスクＡの中央部の縦断面図で、着用状態の説明図を兼ねている。
【００１０】
衛生マスクＡは、口及び鼻孔に当てがう為のマスク本体１と、左右１組の帯紐
状の耳掛け２，２と、マスク本体１の上辺部に包埋させた、可塑性に富んだ素材から成る可塑性帯板状片３とを備えている。
【００１１】
織布や不織布等の複数枚を適宜に重ね合わせたマスク本体１は、その両側辺の縦巾を、中央部の縦巾よりも狭くした、ほぼ不定六角形状に形作られている。
マスク本体１の、具体的な材質は、その内側面１ａの１枚を除けば、既存の衛生マスクのそれとほぼ同様である。
【００１２】
積層構造を備えたマスク本体１の、内側面１ａは、メリヤス生地、又は、起毛生地を用いている。
その他に、粉塵吸着用のフィルターを挟み込ませたり、抗菌剤処理を施す等の、公知技術を適宜に活用するとよい。
【００１３】
更に、マスク本体１は、図中に符号１ｂを付して示した様に、その上下両辺部の各真ん中個所を、Ｖカット状に、その横幅方向に縫い縮めることによって、縫い縮め個所１ｂを形成させている。
これによって、図３に示した様に、マスク本体１の、鼻及び口と向きあう部分を、前向きに膨出させることが出来る。
【００１４】
又、マスク本体１の周縁部は、バイアス織テープ等の縁取材４でくるんだうえ、縫い綴じている。
そして、マスク本体１の上辺側の縁取材４には、可塑性帯板状片３を包埋させている。
【００１５】
左右１組の、伸縮性に富む帯紐状の耳掛け２，２は、夫々の両端を、マスク本体１の四隅の角部に縫い付けている。
帯紐状の耳掛け２は、在来のゴム輪状の耳掛紐とは異なって、“バックル”の様な長さ調節具を、必要に応じて、簡単に組付けることが出来る。
【００１６】
次に、この実施例の衛生マスクＡの機能に就いて説明する。
衛生マスクＡを着用すると、図３に示した様に、マスク本体１は、鼻及び口と向きあう部分が、自づから前向きに膨出した状態になる。
従って、既存の衛生マスクの様に、耳掛紐が及ぼす引張力によって、マスク本体が鼻及び口を覆う様に密着してしまうことは無い。
【００１７】
即ち、図３に示した様に、マスク本体１と鼻及び口との間には、幾分かの“ゆとり空間”Ｓが形成される。  
その為、マスク本体１が鼻及び口にピッタリ密着した場合の様な、息苦しい感じや、違和感が殆ど無くなる。
又、衛生マスクＡを着用したままでも、会話をし易くなり、聞き手は、聞き取り易くなる。
【００１８】
更に、外界から遮断された“ゆとり空間”Ｓは、鼻及び口廻りの生理的環境を良くする為の、保温及び保湿機能も果たしてくれる。
そして、呼気中の水分や鼻水を含んで濡れた、マスク本体１の内側面が、鼻や口に密着する不快感も無くすことが出来る。
【００１９】
その上、マスク本体１の内側面１ａは、暖かい感触のメリヤス生地、又は、起毛生地なので、頬等の顔面への接触感も至極ソフトで良好になる。
又、保温性も高めてくれる。
【００２０】
更には、マスク本体１の上辺部に綴じ付けた縁取材４の中に、可塑性に優れた可塑性帯板状片３を包埋させたことによって、この上辺部が、凹凸のある顔面に良く密着し、然も、違和感を感じさせない。
【図面の簡単な説明】
【００２１】
【図１】本発明の一実施例を示すもので、衛生マスクを表側から見た斜視図である。
【図２】同上、裏側から見た斜視図である。
【図３】同上、着用状態の衛生マスクの中央部分の縦断面図である。
【図４】従来例を示すもので、衛生マスクを裏側から見た平面図である。
【符号の説明】
【００２２】
Ａ  衛生マスク
１  マスク本体
１ａ  内側面
１ｂ  縫い縮め個所
２  耳掛け
３  可塑性帯板状片
４  縁取材
Ｓ  “ゆとり空間”
Ｂ  従来の衛生マスク
５１  本体
５２  耳掛紐
５３  紐通し部
５４  摘み個所
【図１】
2006026111.tif 000003
【図２】
2006026111.tif 000004
【図３】
2006026111.tif 000005
【図４】
2006026111.tif 000006